(57)【要約】  本開示のいくつかの態様は、変調コーディング方式（ＭＣＳ）を選択するための方法および装置に関する。一態様では、ワイヤレス通信のための方法は、応答メッセージに関する持続時間制約を特定するメッセージを処理することを含む。この方法は、持続時間制約に少なくとも部分的に基づいて応答メッセージの送信に関する１つまたは複数のパラメータを選択することをさらに含む。
2017502546.tif 000002
【特許請求の範囲】
【請求項１】
ワイヤレス通信のための装置であって、
応答メッセージに関する持続時間制約を特定する第１のメッセージを復号することと、
前記持続時間制約に少なくとも部分的に基づいて前記応答メッセージの送信に関する１つまたは複数のパラメータを選択することとを行うように構成された処理システムと、
前記持続時間制約にわたって選択された１つまたは複数のパラメータを使用して送信される前記応答メッセージを生成するように構成されたインターフェースとを備える装置。
【請求項２】
前記選択することは、前記応答メッセージを送信するための持続時間が前記持続時間制約の持続時間以下になるように変調コーディング方式および空間ストリーム数を選択することを備える、請求項１に記載の装置。
【請求項３】
前記第１のメッセージは、前記応答メッセージの長さの表示を備え、前記選択することは、前記応答メッセージの前記長さに少なくとも部分的に基づく、請求項１に記載の装置。
【請求項４】
前記選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、請求項１に記載の装置。
【請求項５】
前記第１のメッセージの前記変調コーディング方式および前記空間ストリーム数を決定することは、前記第１のメッセージにおけるフィールドから変調コーディング方式および空間ストリーム数を抽出することを備える、請求項４に記載の装置。
【請求項６】
前記応答メッセージに関する変調コーディング方式および空間ストリーム数の前記許容可能なセットは、前記第１のメッセージの前記変調コーディング方式および前記空間ストリーム数に基づいて定義される、請求項４に記載の装置。
【請求項７】
前記選択することは、
前記装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、請求項１に記載の装置。
【請求項８】
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、請求項７に記載の装置。
【請求項９】
前記応答メッセージに関する変調コーディング方式および空間ストリーム数の前記許容可能なセットは、前記装置によって前もって送信された前記メッセージの前記変調コーディング方式および前記空間ストリーム数に基づいて定義される、請求項７に記載の装置。
【請求項１０】
前記選択された１つまたは複数のパラメータは、変調コーディング方式と空間ストリーム数とを備える、請求項１０に記載の装置。
【請求項１１】
ワイヤレス通信のための方法であって、
応答メッセージに関する持続時間制約を特定する第１のメッセージを処理することと、
前記持続時間制約に少なくとも部分的に基づいて前記応答メッセージの送信に関する１つまたは複数のパラメータを選択することとを備える方法。
【請求項１２】
前記１つまたは複数のパラメータを選択することは、前記応答メッセージを送信するための持続時間が前記持続時間制約の持続時間以下になるように変調コーディング方式および空間ストリーム数を選択することを備える、請求項１１に記載の方法。
【請求項１３】
前記第１のメッセージは、前記応答メッセージの長さの表示を備え、前記選択することは、前記応答メッセージの前記長さに少なくとも部分的に基づいて前記１つまたは複数のパラメータを選択することを備える、請求項１１に記載の方法。
【請求項１４】
前記１つまたは複数のパラメータを選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、請求項１１に記載の方法。
【請求項１５】
前記第１のメッセージの前記変調コーディング方式および前記空間ストリーム数を決定することは、前記第１のメッセージにおけるフィールドから変調コーディング方式および空間ストリーム数を抽出することを備える、請求項１４に記載の方法。
【請求項１６】
前記応答メッセージに関する変調コーディング方式および空間ストリーム数の前記許容可能なセットは、前記第１のメッセージの前記変調コーディング方式および前記空間ストリーム数に基づいて定義される、請求項１４に記載の方法。
【請求項１７】
前記１つまたは複数のパラメータを選択することは、
前記装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、請求項１１に記載の方法。
【請求項１８】
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、請求項１７に記載の方法。
【請求項１９】
前記応答メッセージに関する変調コーディング方式および空間ストリーム数の前記許容可能なセットは、前記装置によって前もって送信された前記メッセージの前記変調コーディング方式および前記空間ストリーム数に基づいて定義される、請求項１７に記載の方法。
【請求項２０】
前記持続時間制約にわたって前記選択された１つまたは複数のパラメータを使用して前記応答メッセージを送信することをさらに備える、請求項１１に記載の方法。
【請求項２１】
ワイヤレス通信のための装置であって、
応答メッセージに関する持続時間制約を特定する第１のメッセージを復号するための手段と、
前記持続時間制約に少なくとも部分的に基づいて前記応答メッセージの送信に関する１つまたは複数のパラメータを選択するための手段とを備える装置。
【請求項２２】
前記選択手段は、前記応答メッセージを送信するための持続時間が前記持続時間制約の持続時間以下になるように変調コーディング方式および空間ストリーム数を選択するための手段を備える、請求項２１に記載の装置。
【請求項２３】
前記第１のメッセージは、前記応答メッセージの長さの表示を備え、前記選択手段は、前記応答メッセージの前記長さに少なくとも部分的に基づいて前記１つまたは複数のパラメータを選択するための手段を備える、請求項２１に記載の装置。
【請求項２４】
前記選択手段は、
前記第１のメッセージの変調コーディング方式および空間ストリーム数を決定するための手段と、
前記第１のメッセージの前記変調コーディング方式および前記空間ストリーム数に少なくとも部分的に基づいて、前記応答メッセージに関する変調コーディング方式および空間ストリーム数の許容可能なセットを決定するための手段と、
前記応答メッセージを送信するための持続時間が前記持続時間制約の持続時間以下になるように前記許容可能なセットから前記応答メッセージに関する前記変調コーディング方式および前記空間ストリーム数を選択するための手段とを備える、請求項２１に記載の装置。
【請求項２５】
前記第１のメッセージの前記変調コーディング方式および前記空間ストリーム数を決定するための手段は、前記第１のメッセージにおけるフィールドから変調コーディング方式および空間ストリーム数を抽出するための手段を備える、請求項２４に記載の装置。
【請求項２６】
前記応答メッセージに関する変調コーディング方式および空間ストリーム数の前記許容可能なセットは、前記第１のメッセージの前記変調コーディング方式および前記空間ストリーム数に基づいて定義される、請求項２４に記載の装置。
【請求項２７】
前記選択手段は、
前記装置によって前もって送信されたメッセージの変調コーディング方式および空間ストリーム数を決定するための手段と、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定するための手段と、
前記応答メッセージを送信するための持続時間が前記持続時間制約の持続時間以下になるように前記許容可能なセットから前記応答メッセージに関する前記変調コーディング方式および前記空間ストリーム数を選択するための手段とを備える、請求項２１に記載の装置。
【請求項２８】
前記装置によって前もって送信された前記メッセージの前記変調コーディング方式および前記空間ストリーム数を決定するための手段は、前記装置によって前もって送信された前記メッセージにおけるフィールドから変調コーディング方式および空間ストリーム数を抽出するための手段を備える、請求項２７に記載の装置。
【請求項２９】
前記応答メッセージに関する変調コーディング方式および空間ストリーム数の前記許容可能なセットは、前記装置によって前もって送信された前記メッセージの前記ＭＣＳおよび前記空間ストリーム数に基づいて定義される、請求項２７に記載の装置。
【請求項３０】
ワイヤレス通信のためのワイヤレスノードであって、
アンテナと、
処理システムとを備え、前記処理システムは、
応答メッセージに関する持続時間制約を特定する、前記アンテナを介して受信された第１のメッセージを復号することと、
前記持続時間制約に少なくとも部分的に基づいて前記応答メッセージの送信に関する１つまたは複数のパラメータを選択することとを行うように構成されるワイヤレスノード。
【発明の詳細な説明】
【技術分野】
【０００１】
[0001]本開示のいくつかの態様は概して、ワイヤレス通信に関し、より詳細には、ワイヤレス通信ネットワークにおけるデバイスによってサポートされる変調コーディング方式（ＭＣＳ）のセットを伝送するための方法および装置に関する。
【背景技術】
【０００２】
[0002]ワイヤレス通信システムに要求される帯域幅要件の増大の問題に対処するために、高いデータスループットを達成しながら、複数のユーザ端末がチャネルリソースを共有することによって単一のアクセスポイントと通信することを可能にするための様々な方式が開発されている。多入力多出力（ＭＩＭＯ）技術は、次世代通信システムのための普及している技法として最近現れた１つのそのような手法を表す。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００３】
[0003]ＭＩＭＯシステムは、データ送信用の複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは性能の改善（たとえば、より高いスループットおよび／またはより大きい信頼性）を実現することができる。
【０００４】
[0004]単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。ＩＥＥＥ８０２．１１ａｈ規格を使用するワイヤレスネットワークでは、ＡＰおよびＳＴＡは可変長を有するフレームを送信する場合がある。そのようなシステムには多くの課題が存在する。
【発明の概要】
【０００５】
[0005]添付の特許請求の範囲内のシステム、方法、およびデバイスの様々な実装形態は、各々がいくつかの態様を有し、それらのうちのいずれの単一の態様も、単独では本明細書で説明される望ましい属性を実現しない。添付の特許請求の範囲を限定することなく、いくつかの顕著な特徴が本明細書に記載される。
【０００６】
[0006]本明細書に記載された主題の１つまたは複数の実装形態の詳細は、添付の図面および以下の説明において述べられている。他の特徴、態様、および利点は、説明、図面、および特許請求の範囲から明らかになるであろう。以下の図面の相対的な寸法は、縮尺通りに描かれていないこともあることに留意されたい。
【０００７】
[0007]本開示の一態様は、ワイヤレス通信のための装置を提供する。この装置は、応答メッセージに関する持続時間制約を特定するメッセージを復号し、持続時間制約に少なくとも部分的に基づいて応答メッセージの送信に関する１つまたは複数のパラメータを選択するように構成された処理システムを含む。この装置は、持続時間制約にわたって選択された１つまたは複数のパラメータを使用して送信される応答メッセージを出力するためのインターフェースをさらに備える。
【０００８】
[0008]開示される別の態様は、ワイヤレス通信のための方法である。この方法は、応答メッセージに関する持続時間制約を特定するメッセージを処理することを含む。この方法は、持続時間制約に少なくとも部分的に基づいて応答メッセージの送信に関する１つまたは複数のパラメータを選択することをさらに含む。
【０００９】
[0009]開示される別の態様は、ワイヤレス通信のための装置である。この装置は、応答メッセージに関する持続時間制約を特定するメッセージを復号するための手段と、持続時間制約に少なくとも部分的に基づいて応答メッセージの送信に関する１つまたは複数のパラメータを選択するための手段とを含む。
【００１０】
[0010]開示される別の態様は、実行されたときに、装置にワイヤレス通信の方法を実行させる命令が符号化されたコンピュータ可読媒体を備えるコンピュータプログラム製品である。この方法は、応答メッセージに関する持続時間制約を特定するメッセージを処理することと、持続時間制約に少なくとも部分的に基づいて応答メッセージの送信に関する１つまたは複数のパラメータを選択することとを含む。
【００１１】
[0011]本開示の上記で具陳した特徴が詳細に理解され得るように、添付の図面にその一部を示す態様を参照することによって、上記で手短に要約されたより具体的な説明が得られ得る。しかしながら、添付の図面は本開示の特定の典型的態様を図示したものにすぎず、したがって説明は他の同様に有効な態様を許容することができるため、本開示の範囲を制限するものとして見なされるべきではないことに留意されたい。
【図面の簡単な説明】
【００１２】
【図１】[0012]本開示のいくつかの態様によるワイヤレス通信ネットワークの図。
【図２】[0013]本開示のいくつかの態様による、例示的なアクセスポイントおよびユーザ端末のブロック図。
【図３】[0014]本開示のいくつかの態様による、例示的なワイヤレスデバイスのブロック図。
【図４】[0015]管理パケットの一例を示す図。
【図５】[0016]通信のための例示的な方法のフローチャートである。
【図６】[0017]ワイヤレス通信システム内で使用され得る例示的なデバイスの機能ブロック図。
【発明を実施するための形態】
【００１３】
[0018]本開示の様々な態様について、添付の図面に関連して以下でより完全に説明する。しかしながら、本開示は、多くの異なる形態で具現化されてもよく、本開示の全体にわたって提示されるいずれかの特定の構造または機能に限定されると解釈されるべきでない。むしろ、これらの態様は、本開示が、完全で完璧となるように、および当業者に完全に本開示の範囲を伝えるように提供される。本明細書の教示に基づいて、本開示の範囲は、本開示の他の態様とは無関係に実装されるにせよ、本開示の他の態様と組み合わせて実装されるにせよ、本明細書の本開示のいかなる態様をもカバーするものであることを、当業者なら諒解されたい。たとえば、本明細書に記載の態様をいくつ使用しても、装置は実装され得るか、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１４】
[0019]本明細書では特定の態様について説明するが、これらの態様の多くの変形および置換は本開示の範囲内に入る。説明する態様のいくつかの利益および利点に言及するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および態様についての以下の説明において示す。発明を実施するための形態、および図面は、本開示を限定するものではなく説明するものにすぎない。
【００１５】
[0020]本明細書で説明される技法は、直交多重化方式に基づく通信システムを含む、様々なブロードバンドワイヤレス通信システムに使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するのに、十分に異なる方向を利用し得る。ＴＤＭＡシステムは、送信信号を異なるタイムスロットに分割することによって、複数のユーザ端末が同じ周波数チャネルを共有することを可能にでき、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、直交周波数分割多重化（ＯＦＤＭ）を利用し、これは、システム帯域幅全体を複数の直交サブキャリアへ区分する変調技法である。これらのサブキャリアはまた、トーン、ビンなどとも呼ばれ得る。ＯＦＤＭでは、各サブキャリアはデータとは独立に変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分布するサブキャリア上で送信するためにインタリーブドＦＤＭＡ（ＩＦＤＭＡ：interleaved FDMA）を、隣接するサブキャリアのブロック上で送信するためにローカライズドＦＤＭＡ（ＬＦＤＭＡ：localized FDMA）を、または、隣接するサブキャリアの複数のブロック上で送信するためにエンハンストＦＤＭＡ（ＥＦＤＭＡ：enhanced FDMA）を利用することができる。一般に、変調シンボルは、ＯＦＤＭでは周波数領域において送られ、ＳＣ−ＦＤＭＡでは時間領域において送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装し得る。
【００１６】
[0021]本明細書の教示は、有線装置またはワイヤレス装置（たとえば、ノード）などの様々な電子デバイスに組み込まれ得る（たとえば、その装置内に実装され、またはその装置によって実行され得る）。いくつかの態様では、本明細書の教示に従って実装されるワイヤレスノードは、アクセス端末（「ＡＴ」）またはＳＴＡ、ＡＰ、あるいはＳＴＡ動作またはＡＰ動作のうちの少なくとも１つを有するリレー対応ワイヤレスデバイスを備え得、すなわち、ワイヤレスノードは、ＡＴ動作またはＳＴＡ動作、ＡＰ動作、あるいはＡＴ／ＳＴＡ動作とＡＰ動作の両方を有し得る。
【００１７】
[0022]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１８】
[0023]アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンもしくはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００１９】
[0024]図１は、アクセスポイント１１０とユーザ端末１２０ａ〜１２０ｉとを有する多元接続多入力多出力（ＭＩＭＯ）システム１００を示す。簡単のために、１つのアクセスポイント（ＡＰ）１１０のみが図１に示されている。アクセスポイント１１０は一般に、ユーザ端末１２０ａ〜１２０ｉと通信する固定局であり、基地局またはワイヤレスデバイスと呼ばれることもあり、あるいは何らかの他の用語を使用して呼ばれることもある。ＳＴＡまたはユーザ端末１２０ａ〜１２０ｉは、固定端末であってもあるいはモバイル端末であってもよく、移動局またはワイヤレスデバイスと呼ばれることもあり、あるいは何らかの他の用語を使用して呼ばれることもある。簡単のために、このデバイスは、ユーザ端末（ＵＴ）１２０ａ〜１２０ｉと呼ばれる。ＡＰ１１０は、ダウンリンクおよびアップリンク上の所与の瞬間に１つまたは複数のＵＴ１２０ａ〜１２０ｉと通信してもよい。ダウンリンク（すなわち、順方向リンク）はアクセスポイント１１０からユーザ端末１２０ａ〜１２０ｉへの通信リンクであり、アップリンク（すなわち、逆方向リンク）はユーザ端末１２０からアクセスポイント１１０への通信リンクである。ユーザ端末１２０ａ〜１２０ｉは、別のユーザ端末１２０ａ〜１２０ｉとピアツーピア通信してもよい。システムコントローラ１３０がアクセスポイント１１０に結合しており、アクセスポイント１１０の調整および制御を行う。
【００２０】
[0025]以下の開示の一部では、空間分割多元接続（ＳＤＭＡ）を介して通信することが可能なユーザ端末１２０について説明するが、いくつかの態様では、ＵＴ１２０は、ＳＤＭＡをサポートしないいくつかのユーザ端末を含んでもよい。したがって、そのような態様では、ＡＰ１１０は、ＳＤＭＡユーザ端末１２０と非ＳＤＭＡユーザ端末１２０の両方と通信するように構成されてもよい。この手法は、都合のよいことに、より新しいＳＤＭＡユーザ端末１２０が適宜に導入されることを可能にしながら、ＳＤＭＡをサポートしないより古いバージョンのユーザ端末（「レガシー」局）を企業に装備されたままにすることを可能にして、それらの有効寿命を延長することができる。
【００２１】
[0026]システム１００は、ダウンリンクおよびアップリンク上でデータ送信を行うために複数の送信アンテナと複数の受信アンテナとを用いる。ＡＰ１１０は、Ｎap個のアンテナを装備し、ダウンリンク送信に関する多入力（ＭＩ）を表し、アップリンク送信に関する多出力（ＭＯ）を表す。Ｋ個の選択されたＵＴ１２０のセットは、ダウンリンク送信に関する多出力を集合的に表し、アップリンク送信に関する多入力を集合的に表す。純粋なＳＤＭＡに関しては、Ｋ個のユーザ端末に関するデータシンボルストリームが、ある手段によって符号、周波数、または時間において多重化されない場合、Ｎap≧Ｋ≧１であることが望まれる。データシンボルストリームが、ＴＤＭＡ技法、ＣＤＭＡを伴う様々なコードチャネル、ＯＦＤＭを伴うサブバンドの独立セットなどを使用して多重化され得る場合、ＫはＮapよりも大きくてよい。各々の選択されたユーザ端末１２０は、ユーザ固有のデータをアクセスポイント１１０に送信し、ならびに／あるいはアクセスポイント１１０からユーザ固有のデータを受信してもよい。一般に、各々の選択されたユーザ端末１２０は、１つまたは複数のアンテナを装備してもよい（すなわち、Ｎut≧１）。Ｋ個の選択されたユーザ端末１２０が同じ数のアンテナを有することができ、あるいは１つまたは複数のユーザ端末がそれぞれに異なる数のアンテナを有してもよい。
【００２２】
[0027]ＳＤＭＡシステム１００は、時分割複信（ＴＤＤ）システムであってもよくあるいは周波数分割複信（ＦＤＤ）システムであってもよい。ＴＤＤシステムの場合、ダウンリンクとアップリンクは同じ周波数帯域を共有する。ＦＤＤシステムの場合、ダウンリンクとアップリンクは異なる周波数帯域を使用する。システム１００はまた、送信に単一のキャリアを利用してもまたは複数のキャリアを利用してもよい。各ユーザ端末１２０は、（たとえば、コストを抑えるために）単一のアンテナを装備してもよく、あるいは（たとえば、追加のコストがサポートされ得る場合）複数のアンテナを装備してもよい。送信／受信をそれぞれに異なるタイムスロットに分割し、各タイムスロットが異なるＵＴ１２０に割り当てられ得ることによって、ユーザ端末１２０が同じ周波数チャネルを共有する場合、システム１００はＴＤＭＡシステムでもあってもよい。
【００２３】
[0028]図２は、ＭＩＭＯシステム１００におけるＡＰ１１０と２つのＵＴ１２０ｍおよび１２０ｘとのブロック図を示す。ＡＰ１１０にはＮt個のアンテナ２２４ａ〜２２４ａｐが装備されている。ＵＴ１２０ｍにはＮut,m個のアンテナ２５２ｍａ〜２５２ｍｕが装備され、ＵＴ１２０ｘにはＮut,x個のアンテナ２５２ｘａ〜２５２ｘｕが装備されている。ＡＰ１１０は、ダウンリンクでは送信エンティティであり、アップリンクでは受信エンティティである。ＵＴ１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択される。ＮupはＮdnに等しくても等しくなくてもよく、ＮupおよびＮdnは静的な値であってよく、またはスケジューリング間隔ごとに変化してよい。ＡＰ１１０および／またはＵＴ１２０においてビームステアリングまたは何らかの他の空間処理技法が使用され得る。
【００２４】
[0029]アップリンク上では、アップリンク送信に関して選択された各ＵＴ１２０において、ＴＸデータプロセッサ２８８が、データソース２８６からトラフィックデータを受信し、コントローラ２８０から制御データを受信する。読取り専用メモリ（ＲＯＭ）とランダムアクセスメモリ（ＲＡＭ）の両方を含み得るメモリ２８２は、命令とデータとをプロセッサ２８０に供給する。ＴＸデータプロセッサ２８８は、ユーザ端末に関して選択されたレートと関連付けられるコーディングおよび変調方式に基づいて、ユーザ端末に関するトラフィックデータを処理し（たとえば、符号化し、インターリーブし、変調し）、データシンボルストリームを生成する。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理する（たとえば、アナログに変換し、増幅し、フィルタリングし、周波数アップコンバートする）。Ｎut,m個の送信機ユニット２５４は、たとえばＡＰ１１０に送信するためにＮut,m個のアンテナ２５２から送信されるＮut,m個のアップリンク信号を生成する。
【００２５】
[0030]アップリンク上での同時送信が可能になるように、Ｎup個のユーザ端末１２０がスケジューリングされてもよい。これらのユーザ端末１２０の各々は、そのそれぞれのデータシンボルストリームに対して空間処理を実行し、アップリンク上でユーザ端末の、送信シンボルストリームのそれぞれのセットをＡＰ１１０に送信してもよい。
【００２６】
[0031]ＡＰ１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実施された処理を補足する処理を実施し、受信シンボルストリームを生成する。ＲＸ空間プロセッサ２４０は、Ｎap個の受信機ユニット２２２からのＮap個の受信されたシンボルストリームに対して受信側空間処理を実施し、Ｎup個の復元されたアップリンクデータシンボルストリームを与える。受信側空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行され得る。各復元アップリンクデータシンボルストリームは、それぞれのユーザ端末１２０によって送信されたデータシンボルストリームの推定値である。ＲＸデータプロセッサ２４２は、復号されたデータを得るために、そのストリームのために使用されたレートに従って、各々の復元されたアップリンクデータシンボルストリームを処理（たとえば、復調、デインターリーブ、および復号）する。各ユーザ端末に対する復号されたデータは、記憶できるようにデータシンク２４４に与えられてもよく、ならびに／あるいはさらに処理できるようにコントローラ２３０に与えられてもよい。読取り専用メモリ（ＲＯＭ）とランダムアクセスメモリ（ＲＡＭ）の両方を含み得るメモリ２３２は、命令とデータとをプロセッサ２３０に供給する。
【００２７】
[0032]ダウンリンク上では、ＡＰ１１０において、ＴＸデータプロセッサ２１０が、ダウンリンク送信が可能なようにスケジュールされたＮdn個のユーザ端末に関するトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末に関して選択されたレートに基づいて、そのユーザ端末に関するトラフィックデータを処理（たとえば、符号化、インターリーブ、および変調）する。ＴＸデータプロセッサ２１０は、Ｎdn個のユーザ端末に関するＮdn個のダウンリンクデータシンボルストリームを与える。ＴＸ空間プロセッサ２２０は、Ｎdn個のダウンリンクデータシンボルストリームに対して（プリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信して処理する。Ｎap個の送信機ユニット２２２は、たとえばユーザ端末１２０に送信するためにＮap個のアンテナ２２４から送信されるＮap個のダウンリンク信号を生成してもよい。
【００２８】
[0033]各ＵＴ１２０において、Ｎut,m個のアンテナ２５２は、ＡＰ１１０からＮap個のダウンリンク信号を受信する。各受信機ユニット２５４は、関連するアンテナ２５２からの受信信号を処理し、受信シンボルストリームを生成する。ＲＸ空間プロセッサ２６０は、Ｎut,m個の受信機ユニット２５４からのＮut,m個の受信シンボルストリームに対して受信側空間処理を実施し、ＵＴ１２０に関する復元されたダウンリンクデータシンボルストリームを生成する。受信側空間処理は、ＣＣＭＩ、ＭＭＳＥ、または何らかの他の技法に従って実行され得る。ＲＸデータプロセッサ２７０は、ユーザ端末のための復号されたデータを取得するために、復元されたダウンリンクデータシンボルストリームを処理（たとえば、復調、デインターリーブ、および復号）する。復号されたデータは、記憶できるようにデータシンク２７２に与えられてもよく、ならびに／あるいはさらに処理できるようにコントローラ２８０に与えられてもよい。
【００２９】
[0034]各ＵＴ１２０において、チャネル推定器２７８は、ダウンリンクチャネル応答を推定し、チャネル利得推定値、ＳＮＲ推定値、雑音分散などを含み得る、ダウンリンクチャネル推定値を生成する。同様に、チャネル推定器２２８は、アップリンクチャネル応答を推定し、ＡＰ１１０に関するアップリンクチャネル推定値を生成する。各ユーザ端末１２０に関するコントローラ２８０は通常、ユーザ端末１２０に関する空間フィルタ行列を、そのユーザ端末１２０に関するダウンリンクチャネル応答行列Ｈdn,mに基づいて導出する。コントローラ２３０は、アクセスポイント１１０に関する空間フィルタ行列を、実効アップリンクチャネル応答行列Ｈup,effに基づいて導出する。各ユーザ端末１２０に関するコントローラ２８０は、フィードバック情報（たとえば、ダウンリンクおよび／またはアップリンク固有ベクトル、固有値、ＳＮＲ推定値など）をＡＰ１１０に送ってもよい。コントローラ２３０およびコントローラ２８０はまた、それぞれ、ＡＰ１１０およびＵＴ１２０における様々な処理ユニットの動作を制御してもよい。
【００３０】
[0035]図３は、ワイヤレス通信システム１００内で用いられ得るワイヤレスデバイス３０２において利用され得る様々なコンポーネントを示す。ワイヤレスデバイス３０２は、本明細書で説明する様々な方法を実施するように構成され得るデバイスの一例である。ワイヤレスデバイス３０２はＡＰ１１０またはＵＴ１２０を実装してもよい。
【００３１】
[0036]ワイヤレスデバイス３０２は、ワイヤレスデバイス３０２の動作を制御するプロセッサ３０４を含み得る。プロセッサ３０４は、中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に提供する。メモリ３０６の一部は不揮発性ランダムアクセスメモリ（ＮＶＲＡＭ）も含み得る。プロセッサ３０４は、メモリ３０６内に記憶されたプログラム命令に基づいて論理演算および算術演算を実行し得る。メモリ３０６中の命令は、本明細書で説明される方法を実施するように実行可能であり得る。
【００３２】
[0037]プロセッサ３０４は、１つまたは複数のプロセッサにより実装された処理システムを備えてよく、またはその処理システムのコンポーネントであってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、または情報の計算もしくは他の操作を実行することができる任意の他の適切なエンティティの任意の組合せにより実装され得る。
【００３３】
[0038]処理システムは、実行されたとき、リレー適合ワイヤレスデバイスのリレー動作を変更するための１つまたは複数の方法に関連する１つまたは複数のステップを実行することを装置に行わせる命令がその上に符号化されたコンピュータ可読媒体を備える通信のためのコンピュータプログラム製品をも含み得る。命令は、ソースコード形式、バイナリコード形式、実行可能コード形式、または他の好適なコード形式を含み得る。コードまたは命令は、１つまたは複数のプロセッサによって実行されたとき、本明細書で説明する様々な機能を実行することを処理システムに行わせる。
【００３４】
[0039]ワイヤレスデバイス３０２は、ワイヤレスデバイス３０２と遠隔位置との間のデータの送受信を可能にするための、送信機３１０と受信機３１２とを含み得る筐体３０８も含み得る。送信機３１０および受信機３１２は、送受信機３１４に結合され得る。単一または複数の送信アンテナ３１６は、筐体３０８に取り付けられ、送受信機３１４に電気的に結合され得る。ワイヤレスデバイス３０２はまた、複数の送信機と、複数の受信機と、複数の送受信機とを含み得る（図示せず）。
【００３５】
[0040]ワイヤレスデバイス３０２は、送受信機３１４によって受信された信号のレベルを検出して定量化するために使用され得る信号検出器３１８も含み得る。信号検出器３１８は、総エネルギー、シンボルごとのサブキャリア当たりのエネルギー、電力スペクトル密度、および他の信号のような信号を検出し得る。ワイヤレスデバイス３０２は、信号を処理する際に使用されるデジタル信号プロセッサ（ＤＳＰ）３２０も含み得る。
【００３６】
[0041]ワイヤレスデバイス３０２の様々なコンポーネントは、データバスに加えて、電力バスと、制御信号バスと、ステータス信号バスとを含み得る、バスシステム３２２によって一緒に結合され得る。
【００３７】
[0042]ワイヤレスデバイス３０２の様々なコンポーネントは、個々に通信インターフェースを構成するか、あるいは１つまたは複数の他のコンポーネントと組み合わされて通信インターフェースを構成する。デバイス３０２の１つまたは複数の通信インターフェースは、プロセッサ３０４、送信機３１０、受信機３１２、またはＤＳＰ３２０などのワイヤレスデバイス３０２の他のコンポーネントによって、要求または応答メッセージなどのメッセージを受信または送信するように構成されてもよい。たとえば、プロセッサ３０４は、ワイヤレスデバイス３０２の１つまたは複数の他のコンポーネントに電気信号を供給するための１つまたは複数の信号線に動作可能に結合されることによってインターフェースを構成してもよく、あるいは信号線が、ワイヤレスデバイス３０２の外部のコンポーネントに電気信号を供給するように構成されてもよい。いくつかの態様では、送信機３１０は、アンテナ３１６を介して無線信号を送信することによってインターフェースを備えてもよい。同様に、受信機３１２は、アンテナ３１６から電気信号を受信することによってインターフェースを介してデータを受信してもよい。
【００３８】
[0043]いくつかの態様では、図１に示されたワイヤレスシステム１００はＩＥＥＥ８０２．１１ａｈワイヤレス通信規格に従って動作する。ＩＥＥＥ８０２．１１ａｈは、低送信電力ＩＥＥＥ８０２．１１ワイヤレスネットワークでの使用を可能にするＩＥＥＥ８０２．１１改正を表す。ＩＥＥＥ８０２．１１ａｈ規格は、サブ１ＧＨｚ（Ｓ１Ｇ）ワイヤレス通信規格と呼ばれることもある。ＩＥＥＥ８０２．１１ａｈ規格は、センサータイプのアプリケーションに対応することを対象としている。これらのアプリケーションでは、センサーは低送信電力機能を有することが多い。
【００３９】
[0044]他の８０２．１１規格では、様々なデバイスがそれぞれに異なる通信データレートをサポートしてもよい。さらに、ＵＴ１２０などのデバイスは、ＵＴ１２０によってサポートされるＭＣＳのセットをＡＰ１１０などのネットワークデバイスに供給してもよい。したがって、ＡＰ１１０は、どのＭＣＳがＵＴ１２０との通信に使用されるかを認識している。
【００４０】
[0045]図４は、管理パケット４００の一例を示す。図示のように、管理パケットは、２バイトのフレーム制御（ｆｃ）フィールド４０５と、２バイトの持続時間（ｄｕｒ）フィールド４１０と、６バイトのアドレス１（宛先アドレス（ｄａ））フィールド４１５と、アドレス２（送信側アドレス（ｓａ））フィールド４２０と、６バイトの基本サービスセット識別子（ＢＳＳＩＤ）フィールド４２５と、２バイトのシーケンス制御（ｓｃ）フィールド４３０と、４バイトのＨＴ制御フィールド４３５と、可変サイズのフレーム本体４４０と、４バイトのフレーム検査シーケンスフィールド４４５とを含む。いくつかの態様では、管理パケット４００が、ＨＴをサポートするがＶＨＴはサポートしないデバイスに関して伝送され、ＨＴ制御フィールド４３５は、ＨＴ機能要素を含んでもよいが、ＶＨＴ機能要素は含まなくてもよい。いくつかの態様では、管理パケット４００が、ＶＨＴをサポートする（したがって、ＨＴもサポートする）デバイスに関して伝送され、ＨＴ制御フィールド４３５は、ＨＴ機能要素とＶＨＴ機能要素の両方を含んでもよい。いくつかの態様では、ＨＴ通信をサポートするデバイスは、管理パケット（管理パケット４００）のＨＴ制御フィールド（たとえば、ＨＴ制御フィールド４３５）のＨＴ機能要素におけるＭＣＳのサポートされるセットに関する情報を送信してもよい。たとえば、ＨＴ機能要素は、ＭＣＳインデックス値のセットを定義する複数のビットを含む。実際のＭＣＳへのＭＣＳインデックス値のマッピングは規格によって定義されてもよい。たとえば、第１のビットは第１のＭＣＳにマップされてもよく、第２のビットは第２のＭＣＳにマップされてもよい。ＡＰ１１０は、ＨＴ制御フィールド４３５において受信されるビットの値に応じて、どのマップ済みＭＣＳがサポートされるかを決定し、どのマップ済みＭＣＳがサポートされないかを決定することができる。
【００４１】
[0046]さらに、いくつかの態様では、ＶＨＴ通信をサポートする電子デバイスは、管理パケット（たとえば、管理パケット４００）のＨＴ制御フィールド（たとえば、ＨＴ制御フィールド４３５）のＶＨＴ機能要素におけるＭＣＳのサポートされるセットに関する情報を送信してもよい。ＶＨＴ機能要素は、個々のサポートされるＭＣＳのマッピングに対応しない。その代わり、ＶＨＴ機能要素は、所定数の空間ストリーム当たりにサポートされる最大ＭＣＳを示す。所定数の空間ストリーム当たりにサポートされる最大ＭＣＳは、ＭＣＳセット（ＭＣＳＳｅｔ）と呼ばれることがあり、および＜ＭＣＳ，Ｎss＞タプルと表されることがあり、ここにおいて、ＭＣＳは最大ＭＣＳを示し、Ｎssは空間ストリームの数を示す。ＶＨＴ機能要素を受信したＡＰ１１０は、ＵＴ１２０が、所与の空間ストリームに関してサポートされるように示されている最大ＭＣＳ以下の所与の空間ストリームに関するすべてのＭＣＳをサポートする。さらに、いくつかのＭＣＳは、暗黙的にサポートされると仮定され、これらのＭＣＳがサポートされないことを示す表示はない。
【００４２】
[0047]状況によっては、ＵＴ１２０は、管理パケット４００または可変長を有する他のフレームを送信することによってＡＰ１１０から受信されたフレームに応答してもよい。交換（たとえば、リンク適応手順またはターゲットウェイク時間手順）に関与するＵＴ１２０によって特定の手順が使用されたときにＳ１Ｇにおける制御応答フレームが生成されてもよい。しかし、ＵＴ１２０が可変長のフレームを送信するとき、ＡＰ１１０は、ＵＴ１２０に送信される応答誘導フレームの持続時間フィールドに含めるべき値を正しく算出することができない場合があり、したがって、ネットワーク割振りベクトル（ＮＡＶ）を正しく設定することができない。ＵＴ１２０は、ＡＰ１１０がその応答誘導フレームの持続時間フィールドを正しく算出するために応答を導くのを可能にするために、制御応答フレームに関するＭＣＳＳｅｔを選択し、制御応答フレーム長を固定することを望む場合がある。たとえば、ＭＣＳＳｅｔ内のＭＣＳは、特定のＭＣＳを所与の空間ストリームに使用して送ることができる有効ビットレートデータに基づく順序を有してもよい。有効ビットレートが高くなるほど、ＭＣＳが「多くなる」。
【００４３】
[0048]したがって、本明細書では、ＵＴ１２０が、ＵＴ１２０によってどのＭＣＳＳｅｔがサポートされるかをＡＰ１１０に示すのを可能にするためのシステムおよび方法について説明する。たとえば、ＵＴ１２０は、特定のＭＣＳＳｅｔを使用し、フレームの持続時間フィールドに特定の値を有する、ＡＰ１１０または別のＵＴ１２０からのフレームを受信する。状況によっては、ＵＴ１２０は、可変長応答制御フレームに基づいて、ＡＰ１１０またはその他のＵＴ１２０から受信されたフレームによって許容される持続時間内に応答することができないことがある。ＵＴ１２０の可変長制御応答フレームを送信する持続時間とＡＰ１１０またはその他のＵＴ１２０によって示される持続時間との間の不平衡または差に起因して、通信が困難になることがある。
【００４４】
[0049]一態様では、ＵＴ１２０は、一定の長さを有する制御応答を送信し、定義されたＭＣＳ選択基準に従ってＭＣＳＳｅｔを選択する。いくつかの態様では、ＡＰ１１０は、物理レイヤ集中プロシージャ（ＰＬＣＰ：physical layer convergence procedure）プリアンブルの信号（ＳＩＧ）フィールドにおける帯域幅、アグリゲーション、短いガード間隔（ＧＩ）、応答指示フィールド、および応答誘導フレームの媒体アクセス制御（ＭＡＣ）ヘッダにおける肯定応答ポリシーフィールドを使用することによって制御応答フレームのタイプを応答側ＵＴ１２０に示す応答誘導フレームを送ってもよい。たとえば、制御応答フレームは、アグリゲーションフィールドが１に設定されている場合は３２バイトであってもよく、あるいはアグリゲーションフィールドが０に設定されている場合は１４バイトであってもよい。いくつかの態様では、ＵＴ１２０は、長さが３２バイトまたは１４バイトである制御応答フレーム内にＨＴ制御フィールドを含まない場合がある。いくつかの態様では、ＵＴ１２０は、応答表示フィールドが応答誘導フレームにおける長い応答に設定されている場合にはＨＴ制御フィールドを含むことがある。いくつかの態様では、ＵＴ１２０は、リンク適応情報を要求するＵＴ１２０に送信される非制御応答フレームにＨＴ制御フィールドを含む場合がある。
【００４５】
[0050]いくつかの態様では、ＡＰ１１０は、ＵＴ１２０に応答誘導フレームを送ってもよく、ＵＴ１２０が定義されたＭＣＳ選択基準に従うと仮定して持続時間フィールドを算出してもよい。いくつかの態様では、定義されたＭＣＳ選択基準は、すべてのＡＰおよびＵＴによって認識されているＭＣＳＳｅｔのあらかじめ定義されたテーブルであってもよい。ＵＴ１２０は、ＡＰ１１０によってサポートされるいくつかのＭＣＳＳｅｔから、ＡＰ１１０からの予期される持続時間以下の持続時間を制御応答フレームに与えるＭＣＳＳｅｔを選択してもよい。いくつかの態様では、ＵＴ１２０は、所与のＮssについて応答誘導フレームよりも高いＭＣＳを選択してもよい。これらの態様では、ＵＴ１２０は、所与の持続時間に関して（たとえば、制御ラッパーを使用するか、またはブロック肯定応答（ＢＡ）ターゲットウェイク時間（ＴＷＴ：target wake time）フレームまたはＴＷＴ肯定応答（ＴＡＣＫ）フレームにおいてネックストＴＷＴフィールドを付加することによって制御応答フレームの長さを延ばしてもよい。いくつかの態様では、ＵＴ１２０は、制御応答フレームがＡＰ１１０による予期される制御応答フレーム長よりも短い場合に、所与のＮssについて応答誘導フレームよりも低いＭＣＳを選択してもよい。
【００４６】
[0051]いくつかの態様では、ＡＰ１１０は、ＵＴ１２０に応答誘導フレームを送ってもよく、ＵＴ１２０が、ＡＰ１１０へのＵＴ１２０の直前の送信において使用したのと同じＭＣＳＳｅｔを使用すると仮定して、持続時間フィールドを算出してもよい。ＵＴ１２０は、ＡＰ１１０によってサポートされるいくつかのＭＣＳＳｅｔから、ＡＰ１１０からの予期される持続時間以下の持続時間を制御応答フレームに与えるＭＣＳＳｅｔを選択してもよい。いくつかの態様では、ＵＴ１２０は、ＡＰ１１０へのＵＴ１２０の直前の送信において使用したのと同じＭＣＳＳｅｔを選択してもよい。いくつかの態様では、ＵＴ１２０は、所与のＮssについて、ＡＰ１１０へのＵＴ１２０の直前の送信において使用したＭＣＳよりも高いＭＣＳを選択してもよい。これらの態様では、ＵＴ１２０は、所与の持続時間に関して（たとえば、制御ラッパーを使用するか、またはブロック肯定応答（ＢＡ）ＴＷＴフレームまたはＴＷＴ肯定応答（ＴＡＣＫ）フレームにおいて次のターゲットウェイク時間（ＴＷＴ）フィールドを付加することによって）制御応答フレームの長さを延ばしてもよい。いくつかの態様では、ＵＴ１２０は、制御応答フレームがＡＰ１１０による予期される制御応答フレーム長よりも短い場合に、所与のＮssについて、ＡＰ１１０へのＵＴ１２０の直前の送信において使用したＭＣＳよりも低いＭＣＳを選択してもよい。
【００４７】
[0052]一態様では、ＡＰ１１０は、ＵＴ１２０に応答誘導フレームを送ってもよく、応答誘導フレームの持続時間フィールドの値を任意に設定してもよい。この態様では、応答誘導フレームを受信したＵＴ１２０は、制御応答フレームを送信するための得られる持続時間が、応答誘導フレームによって設定されたＮＡＶの残りの持続時間内に収まるようにＡＰ１１０によってサポートされるＭＣＳＳｅｔを選択してもよい。
【００４８】
[0053]一態様では、ＡＰ１１０とＵＴ１２０は、制御応答フレームに使用すべきＭＣＳＳｅｔを事前に交渉してもよい。いくつかの態様では、ＡＰ１１０またはＵＴ１２０は、制御応答フレームを導くＵＴ１２０またはＡＰ１２０に送られるフレームに含まれる高スループット（ＨＴ）制御フィールドにおいてＭＣＳＳｅｔを示してもよい。いくつかの態様では、ＡＰ１１０またはＵＴ１２０は、制御応答フレームを導くＵＴ１２０またはＡＰ１２０との関連付け時にＭＣＳＳｅｔを示すかまたはその後管理フレームを介してＭＣＳＳｅｔを更新してもよい。いくつかの態様では、ＡＰ１１０およびＵＴ１２０は、特定の制御応答フレーム（ＴＡＣＫ、ＢＡＴ、ショートターゲットウェイト時間肯定応答（ＳＴＡＣＫ：short target wait time acknowledgement）など）に使用すべき追加の交渉を定義してもよい。いくつかの態様では、すべての制御応答フレームに関する統合された交渉が定義されてもよい。
【００４９】
[0054]一態様では、ＡＰ１１０またはＵＴ１２０は、ＭＣＳＳｅｔを所与の帯域幅の絶対値として示す場合がある。この態様では、ＡＰ１１０およびＵＴ１２０は、ＭＣＳＳｅｔを示す際にチャネル帯域幅規則に従うことが必要になる場合がある。別の態様では、ＡＰ１１０またはＵＴ１２０は、ＭＣＳＳｅｔを制御応答フレームに関する予期されるＭＣＳＳｅｔに対する差として示す場合がある。
【００５０】
[0055]一態様において、定義されたＭＣＳ選択基準では、ＡＰ１１０から受信されたフレームのチャネル帯域幅の値程度のチャネル帯域幅の考えられる最大値を使用してＡＰ１１０から受信されたフレームのＭＣＳＳｅｔのデータレートよりも高いデータレートを有するＭＣＳＳｅｔをＣａｎｄｉｄａｔｅＭＣＳＳｅｔから排除する必要がある。一態様では、チャネル帯域幅がＣＢＷ１に等しいとき、最低レートをＭＣＳ０またはＭＣＳ１０のいずれかとすることができ、これはあらかじめ定義しておくことが可能である。たとえば、常にＭＣＳ０ではなくＭＣＳ１０を選択する。この選択基準では、受信されたフレームのＮss値以下であるＣａｎｄｉｄａｔｅＭＣＳＳｅｔの最大Ｎss値を求め、最大Ｎss値に等しいＮss値を有さないＭＣＳＳｅｔをＣａｎｄｉｄａｔｅＭＣＳＳｅｔから排除する必要がある。この選択基準では、各ストリームの変調値が受信されたフレームのＭＣＳＳｅｔの各ストリームの変調値以下であり、コーディングレートが受信されたフレームから得られるＭＣＳＳｅｔのコーディングレート以下であるＣａｎｄｉｄａｔｅＭＣＳＳｅｔの最高レートＭＣＳＳｅｔを求める必要もある。このＭＣＳＳｅｔは、応答送信に関する一次ＭＣＳＳｅｔである。ＭＣＳＳｅｔから変調およびコーディングレートへのマッピングは、接続された物理（ＰＨＹ）レイヤに依存する。各変調値を比較することを目的として、以下のシーケンスは順に大きくなる変調値を示す。ＢＰＳＫ、ＱＰＳＫ、１６−ＱＡＭ、６４−ＱＡＭ、２５６−ＱＡＭ。変調値およびコーディングレートに関する条件を満たすＭＣＳＳｅｔがない場合、ＣａｎｄｉｄａｔｅＭＣＳＳｅｔにおけるＮssの最大値を有するＣａｎｄｉｄａｔｅＭＣＳＳｅｔの各ＭＣＳＳｅｔを排除してもよい。得られたＣａｎｄｉｄａｔｅＭＣＳＳｅｔが空である場合、ＣａｎｄｉｄａｔｅＭＣＳＳｅｔをＳ１Ｇ  ＰＨＹ必須ＭＣＳに設定する。修正されたＣａｎｄｉｄａｔｅＭＣＳＳｅｔを使用して変調値およびコーディングレートに関するステップを繰り返す。
【００５１】
[0056]一次ＭＣＳＳｅｔが選択された後、ＵＴ１２０は、それに応じて、上記で説明した持続時間制約の条件を満たす代替ＭＣＳを選択してもよい。ＵＴ１２０は、一次ＭＣＳＳｅｔまたは代替ＭＣＳＳｅｔの一方が存在する場合、そのいずれかを使用して制御応答フレームを送信してもよい。代替レートでの制御応答フレームの持続時間は、一次レートでのフレームの持続時間と同じであってもよい。
【００５２】
[0057]一態様では、グループアドレス指定データおよび管理フレームに関するＭＣＳ選択のための規則が定義されてもよい。この態様では、ＢＳＳＢａｃｉｃＳ１ＧＭＣＳ＿ＮＳＳＳｅｔが空ではなく、フレームは、ＢＳＳＢａｃｉｃＳ１ＧＭＣＳ＿ＮＳＳＳｅｔに含まれる＜Ｓ１Ｇ−ＭＣＳ，ＮＳＳ＞タプルのうちの１つを使用してＳ１Ｇ物理レイヤプロトコルデータユニット（ＰＰＤＵ）において送信されてもよい。
【００５３】
[0058]一態様では、個別アドレス指定データおよび管理フレームに関するＭＣＳ選択のための規則が定義されてもよい。この態様では、ＵＴ１２０は、受信側ＳＴＡによって送信される管理フレーム内の任意の被サポートＳ１Ｇ−ＭＣＳおよびＮＳＳセットフィールドにおいて報告された、受信側ＵＴ１２０によってサポートされない＜Ｓ１Ｇ−ＭＣＳ，ＮＳＳ＞タプルを使用してフレームを送信することはないものとする。
【００５４】
[0059]一態様では、ＢＳＳのメンバーであるＳ１Ｇ  ＳＴＡは、トンネルドダイレクトリンクセットアップ（ＴＤＬＳ：tunneled direct-link setup）オフチャネルリンク上で実行される送信またはセレクテッドサブチャネルトランスミッション（ＳＳＴ：selected sub-channel transmission）プロシージャオフチャネルリンク上で実行される送信を除く直近に受信されたＳ１Ｇ動作要素において報告された、ＢＳＳでの使用が許可されない送信ベクトル（ＴＸＶＥＣＴＯＲ）と呼ばれるデータのアレイのチャネル帯域幅（ＣＨ＿ＢＡＮＤＷＩＤＴＨ）パラメータの値を使用してフレームを送信することはないものとする。別の態様では、ＳＴＡは、ＯｐｅｒａｔｉｏｎａｌＳ１ＧＭＣＳ＿ＮＳＳＳｅｔに含まれない＜Ｓ１Ｇ−ＭＣＳ，ＮＳＳ＞タプルを使用してフレームの送信を開始することはないものとする。
【００５５】
[0060]一態様では、送信機会（ＴＸＯＰ）を開始する制御フレームに関するレート選択のための規則が定義されてもよい。ＳＴＡは、Ｓ１Ｇ  ＰＰＤＵを送信する際、保護が必要なときにはＢＳＳＢａｓｉｃｓＳ１ＧＭＣＳ＿ＮＳＳＳｅｔパラメータから＜Ｓ１Ｇ−ＭＣＳ，ＮＳＳ＞タプルを選択してもよく、保護が必要ではないときには対象とする受信機のＳｕｐｐｏｒｔｅｄＳ１ＧＭＣＳ＿ＮＳＳＳｅｔパラメータから＜Ｓ１Ｇ−ＭＣＳ，ＮＳＳ＞タプルを選択してもよい。
【００５６】
[0061]一態様では、制御応答フレームではない制御フレームに関するレート選択のための規則が定義されてもよい。この態様では、Ｓ１Ｇ  ＰＰＤＵにおいて伝送されるフレームは、受信側ＳＴＡから受信されたＳ１Ｇ機能要素における被サポートＳ１Ｇ−ＭＣＳおよびＮＳＳ  Ｓｅｔフィールドにおいて報告された、受信側ＳＴＡによってサポートされる＜Ｓ１Ｇ−ＭＣＳ，ＮＳＳ＞タプルを使用してＳＴＡによって送信されてもよい。受信側ＳＴＡの被サポートＳ１Ｇ−ＭＣＳおよびＮＳＳセットが未知であるとき、送信側ＳＴＡは、ＢＳＳＢａｓｉｃｓＳ１ＧＭＣＳ＿ＮＳＳＳｅｔパラメータにおける＜Ｓ１Ｇ−ＭＣＳ，ＮＳＳ＞タプルを使用して送信を行う。
【００５７】
[0062]上記の例では、ＡＰ１１０とＵＴ１２０との間の関係について説明した。しかし、この説明は、ＡＰ１１０とＵＴ１２０との間の通信のみに限定されない。当業者には、同じ説明が２つのピアＵＴまたは２つのピアＡＰにも当てはまることが理解されよう。
【００５８】
[0063]図５は、通信に関する例示的な方法５００のフローチャートである。この方法については、ＵＴ１２０によって実施される方法として説明する。しかし、当業者によって理解されるように、この方法は、ワイヤレスデバイス３０２などの、１つまたは複数の他の適切な電子デバイスによって実施されてもよい。
【００５９】
[0064]ブロック５０５において、ＵＴ１２０は、応答メッセージに関する持続時間制約を特定するメッセージを復号する。このメッセージはＡＰ１１０または別のピアＵＴ１２０から供給されてもよい。ブロック５１０において、ＵＴ１２０は、持続時間制約に少なくとも部分的に基づいて応答メッセージの送信に関する１つまたは複数のパラメータを選択する。選択される１つまたは複数のパラメータは、持続時間制約、たとえば、送信に関する時間または持続時間の量に少なくとも部分的に基づくＭＣＳおよび空間ストリーム数を備えてもよい。例示的なデバイスタイプは、電子デバイスが通信ネットワークにおいてＡＰ１１０として機能しているかそれともＵＴ１２０として機能しているかということである。別の例示的なデバイスタイプは、電子デバイスが通信ネットワークにおいてＡＰ１１０に対するＵＴ１２０として通信しているかそれともピアツーピア通信において別のＵＴ１２０に対するＵＴ１２０として機能しているかということである。メッセージのＭＣＳおよび空間ストリーム数は、応答メッセージのＭＣＳおよび空間ストリームの数を選択するための基礎として使用されてもよい。本明細書の他の個所に記載されているように、応答メッセージに関する選択されるＭＣＳおよび空間ストリーム数は、ＵＴ１２０が応答メッセージを送信するための持続時間が持続時間制約の持続時間以下になるようなＭＣＳおよび空間ストリーム数であってもよい。
【００６０】
[0065]図６は、本明細書に記載されたいくつかの態様による、ワイヤレス通信のための装置６００の機能ブロック図である。ワイヤレスデバイス６００は、図６に示されている簡略化されたブロック図よりも多くのコンポーネントを有し得ることが、当業者には諒解されよう。図６は、特許請求の範囲内の実装形態のいくつかの顕著な特徴を説明するのに有用なコンポーネントのみを含む。
【００６１】
[0066]装置６００は、応答メッセージに関する持続時間制約を特定する第１のメッセージを復号するための手段６０５を備える。応答メッセージに関する持続時間制約を特定するメッセージを復号するための手段６０５は、図５に示されているブロック５０５および５１０に関して上で記載された機能のうちの１つまたは複数を実行するように構成されてもよい。復号するための手段６０５は、上で図３に関して記載された、受信機３１２と、トランシーバ３１４と、プロセッサ３０４と、メモリ３０６とのうちの１つまたは複数に対応することができる。いくつかの態様では、復号するための手段６０５は、汎用コンピュータ上で実行されるステップのセットを備えてもよい。たとえば、コンピュータは、第１のメッセージをワイヤレスデバイス３０２から受信してもよい。コンピュータは次いで、第１のメッセージに含まれるデータを読み取り、第１のメッセージが、第１のメッセージに応答して送られる応答メッセージに関する持続時間制約の表示を含むと決定してもよい。
【００６２】
[0067]この装置は、持続時間制約に少なくとも部分的に基づいて応答メッセージの送信に関する１つまたは複数のパラメータを選択するための手段６１０をさらに備える。１つまたは複数のパラメータを選択するための手段６１０は、図５に示されているブロック５０５および５１０に関して上で記載された機能のうちの１つまたは複数を実行するように構成されてもよい。いくつかの態様では、１つまたは複数のパラメータは、変調コーディング方式と空間ストリーム数とを備えてもよい。選択するための手段６１０は、上で図３に関して記載された、プロセッサ３０４とメモリ３０６とのうちの１つまたは複数を備えてもよい。いくつかの態様では、選択するための手段６１０は、汎用コンピュータ上で実行されるステップのセットを備えてもよい。たとえば、コンピュータは、応答メッセージに関する変調コーディング方式のセット数および空間ストリーム数を決定してもよい。コンピュータは、第１のメッセージの持続時間制約に基づいて、持続時間制約内で応答メッセージを送信するためにどの変調コーディング方式を使用できるか、およびいくつの空間ストリームを使用できるかを決定してもよい。コンピュータは次いで、応答メッセージに関する許容される変調コーディング方式および空間ストリーム数を選択してもよい。
【００６３】
[0068]いくつかの態様では、復号するための手段６０５は、汎用コンピュータ上で実行されるステップのセットを備えてもよい。たとえば、コンピュータは、周期に従って複数のメッセージを受信してもよい。コンピュータは、複数のメッセージを受信する間、ＲＦチェーンが占有されると決定する。コンピュータは次いで、ＲＦチェーンが解放されているときの、複数のメッセージの各受信間の時間の部分を決定する。コンピュータは次いで、各受信間の時間の部分の少なくとも一部が第１の無線アクセス技術に対して許可されてもよいと決定してもよい。
【００６４】
[0069]いくつかの態様では、選択手段６１０は、応答メッセージを送信するための持続時間が持続時間制約の持続時間以下になるように変調コーディング方式および空間ストリーム数を選択するための手段を備える。いくつかの態様では、選択手段６１０は、第１のメッセージの変調コーディング方式および空間ストリーム数を決定するための手段と、第１のメッセージの変調コーディング方式および空間ストリーム数に少なくとも部分的に基づいて応答メッセージに関する変調コーディング方式および空間ストリーム数の許容可能なセットを決定するための手段と、応答メッセージを送信するための持続時間が持続時間制約の持続時間以下になるように応答メッセージに関する変調コーディング方式および空間ストリーム数の許容可能なセットから変調コーディング方式および空間ストリーム数を選択するための手段とを備える。いくつかの態様では、第１のメッセージは、応答メッセージの長さの表示を備え、選択手段６１０は、応答メッセージの長さに少なくとも部分的に基づいて１つまたは複数のパラメータを選択するための手段を備える。いくつかの態様では、選択手段６１０は、装置によって前もって送信されたメッセージの変調コーディング方式および空間ストリーム数を決定するための手段と、装置によって前もって送信されたメッセージの変調コーディング方式および空間ストリーム数に少なくとも部分的に基づいて応答メッセージに関する変調コーディング方式および空間ストリーム数の許容可能なセットを決定するための手段と、応答メッセージを送信するための持続時間が持続時間制約の持続時間以下になるように応答メッセージに関する変調コーディング方式および空間ストリーム数の許容可能なセットから変調コーディング方式および空間ストリーム数を選択するための手段とを備える。いくつかの態様では、装置６００は、応答メッセージに関する変調コーディング方式および空間ストリーム数を示す第２のメッセージを生成するための手段をさらに備える。いくつかの態様では、第１のメッセージの変調コーディング方式および空間ストリーム数を決定するための手段は、第１のメッセージにおけるフィールドから変調コーディング方式および空間ストリーム数を抽出するための手段を備える。いくつかの態様では、応答メッセージに関する変調コーディング方式および空間ストリーム数の許容可能なセットは、第１のメッセージの変調コーディング方式および空間ストリーム数に基づいて定義される。
【００６５】
[0070]上述の方法の様々な動作は、対応する機能を実施することができる任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示された動作、モジュール、またはステップがある場合、それらの動作は、対応するカウンターパートのミーンズプラスファンクション構成要素を有し得る。たとえば、ユーザ端末は、ヌルデータパケット通知情報を備えるメッセージを受信するための手段と、ヌルデータパケット通知情報はシーケンス番号を備える、ヌルデータパケット通知情報に関連するヌルデータパケットに少なくとも部分的に基づいてチャネル状態情報を決定するための手段と、ヌルデータパケット通知情報のシーケンス番号と決定されたチャネル状態情報とを備えるメッセージを送信するための手段とを備えてもよい。
【００６６】
[0071]本明細書で使用される「決定すること」という用語は、様々な活動を包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定」は、解決、選択、選定、確立などを含み得る。
【００６７】
[0072]本明細書で使用される、項目のリスト「のうちの少なくとも１つ」を参照する語句は、単一のメンバーを含む、それらの項目の任意の組合せを指す。一例として、「ａ、ｂまたはｃの少なくとも１つ」は、Ａ、またはＢ、またはＣ、またはＡおよびＢ、またはＡおよびＣ、またはＡおよびＢおよびＣ、または２Ａ、または２Ｂ、または２Ｃなどを含み得る。
【００６８】
[0073]上述の方法の様々な動作は、様々なハードウェアおよび／またはソフトウェア構成要素、回路、ならびに／あるいはモジュールなど、それらの動作を実行することが可能な任意の好適な手段によって実行され得る。概して、図に示されたどの動作も、その動作を実行することが可能な対応する機能的手段によって実行され得る。
【００６９】
[0074]本明細書で使用されるインターフェースという用語は、２つ以上のデバイスを一緒に接続するように構成されたハードウェアまたはソフトウェアを指す場合がある。たとえば、インターフェースは、プロセッサまたはバスの一部であってもよく、デバイス間での情報またはデータの通信を可能にするように構成され得る。インターフェースは、チップまたは他のデバイスへと組み込まれ得る。たとえば、いくつかの態様では、インターフェースは、あるデバイスからの情報または通信を別のデバイスにおいて受信するように構成された受信機を備え得る。（たとえば、プロセッサまたはバスの）インターフェースは、フロントエンドデバイスまたは別のデバイスによって処理される情報またはデータを受信してもよく、または受信された情報を処理してもよい。いくつかの態様では、インターフェースは、情報またはデータを別のデバイスに送信または通信するように構成された送信機を備え得る。したがって、インターフェースは、情報またはデータを送信してもよく、または、（たとえば、バスを介した）送信のために出力するための情報またはデータを準備してもよい。
【００７０】
[0075]本開示に関連して説明された様々な例示的な論理ブロック、モジュール、および回路は、本明細書で説明された機能を実行するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、またはそれらの任意の組合せによって実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００７１】
[0076]１つまたは複数の態様では、上述の機能は、ハードウェア、ソフトウェア、ファームウェア、またはその任意の組合せで実装され得る。ソフトウェアで実装される場合、それらの機能は、１つまたは複数の命令またはコードとして、コンピュータ可読媒体上に記憶され、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であってもよい。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備えることができる。また、任意の接続が、適切にコンピュータ可読媒体と呼ばれる。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術が、媒体の定義に含まれる。本明細書で使用するディスク（disk）およびディスク（disc）は、コンパクトディスク（ＣＤ）と、レーザーディスク（登録商標）と、光ディスクと、デジタル多用途ディスク（ＤＶＤ）と、フロッピー（登録商標）ディスクと、Ｂｌｕ−ｒａｙ（登録商標）ディスクとを含み、ディスク（disk）は通常、データを磁気的に再生し、ディスク（disc）はレーザーを用いてデータを光学的に再生する。したがって、いくつかの態様では、コンピュータ可読媒体は、非一時的コンピュータ可読媒体（たとえば有形媒体）を備える場合がある。加えて、いくつかの態様では、コンピュータ可読媒体は、一時的コンピュータ可読媒体（たとえば信号）を備え得る。上の組合せも、コンピュータ可読媒体の範囲内に含まれるべきである。
【００７２】
[0077]ハードウェアで実装される場合、例示的なハードウェア構成はワイヤレスノード中に処理システムを備え得る。処理システムには、バスアーキテクチャが実装されてもよい。バスは、処理システムの特定の適用例および全体的な設計制約に応じて、任意の数の相互接続バスとブリッジとを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ＵＴ１２０（図１参照）の場合、ユーザインターフェース（たとえば、キーパッド、ディスプレイ、マウス、ジョイスティックなど）もまたバスに接続され得る。バスはまた、タイミングソース、周辺機器、電圧調整器、電力管理回路などの様々な他の回路にリンクし得るが、それらは当技術分野でよく知られており、したがってこれ以上は記載されない。
【００７３】
[0078]ハードウェア実装形態では、機械可読媒体は、プロセッサとは別個の処理システムの一部であってもよい。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルと同様にプロセッサに統合され得る。
【００７４】
[0079]処理システムは、すべて外部バスアーキテクチャを介して他のサポート回路と互いにリンクされる、プロセッサ機能を実現する１つまたは複数のマイクロプロセッサと、機械可読媒体の少なくとも一部分を構成する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは任意の他の好適な回路、または本開示全体にわたって説明した様々な機能性を実施することができる回路の任意の組合せを用いて、実装され得る。当業者には、具体的な適用例と、全体的なシステムに課される全体的な設計制約とに応じて、処理システムについて記載された機能性を最適に実装する方法が認識されよう。
【００７５】
[0080]機械可読媒体はいくつかのソフトウェアモジュールを備え得る。ソフトウェアモジュールは、プロセッサによって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７６】
[0081]本明細書で開示される方法は、上述の方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【００７７】
[0082]上述の機能は、ハードウェア、ソフトウェア、ファームウェア、またはそれらの任意の組合せにおいて実装され得る。それらの機能は、ソフトウェアに実装される場合、１つまたは複数の命令として、コンピュータ可読媒体上に記憶される場合がある。記憶媒体は、コンピュータによってアクセスされ得る任意の利用可能な媒体であってもよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備えることができる。本明細書で使用されるように、ディスク（disk）およびディスク（disc）は、コンパクトディスク（ＣＤ）と、レーザーディスクと、光ディスクと、デジタルバーサタイルディスク（ＤＶＤ）と、フロッピーディスクと、ブルーレイ（登録商標）ディスクとを含み、ディスク（disk）は通常データを磁気的に再生し、ディスク（disc）はレーザーでデータを光学的に再生する。
【００７８】
[0083]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品は、パッケージング材料を含むことがある。
【００７９】
[0084]ソフトウェアまたは命令は、伝送媒体を介して送信される場合もある。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術が、媒体の定義に含まれる。
【００８０】
[0085]さらに、本明細書で説明する方法および技法を実行するためのモジュールおよび／または他の適切な手段は、適用可能な場合、ユーザ端末および／または基地局によってダウンロードされ得るおよび／または他の方法で取得され得ることを諒解されたい。たとえば、そのようなデバイスは、本明細書で説明する方法を実行するための手段の伝達を容易にするためにサーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書に記載された方法および技法をデバイスに供給するための任意の他の好適な技法が利用され得る。
【００８１】
[0086]特許請求の範囲は、上で示された厳密な構成および構成要素に限定されないことを理解されたい。上記で説明した方法および装置の配置、動作、および詳細において、特許請求の範囲から逸脱することなく、様々な修正、変更、および変形が行われる場合がある。
【００８２】
[0087]上記は本開示の態様を対象とするが、本開示の他の態様およびさらなる態様は、それの基本的範囲から逸脱することなく考案され得、それの範囲は以下の特許請求の範囲によって決定される。
【図１】
2017502546.tif 000003
【図２】
2017502546.tif 000004
【図３】
2017502546.tif 000005
【図４】
2017502546.tif 000006
【図５】
2017502546.tif 000007
【図６】
2017502546.tif 000008
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
応答メッセージに関する持続時間制約を特定する第１のメッセージを復号することと、
前記持続時間制約に少なくとも部分的に基づいて前記応答メッセージの送信に関する１つまたは複数のパラメータを選択することと
を行うように構成された処理システムと、
前記持続時間制約にわたって前記選択された１つまたは複数のパラメータを使用して、送信のための前記応答メッセージを提供するように構成されたインターフェースと
を備え、
前記選択することは、前記応答メッセージを送信するための持続時間が前記持続時間制約の持続時間以下になるように変調コーディング方式および空間ストリーム数を選択することを備える、装置。
【請求項２】
前記第１のメッセージは、前記応答メッセージの長さの表示を備え、前記選択することは、前記応答メッセージの前記長さに少なくとも部分的に基づく、請求項１に記載の装置。
【請求項３】
前記選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記許容可能なセットから前記応答メッセージに関する前記変調コーディング方式および前記空間ストリーム数を選択することと
を備える、請求項１に記載の装置。
【請求項４】
前記第１のメッセージの前記変調コーディング方式および前記空間ストリーム数を決定することは、前記第１のメッセージにおけるフィールドから変調コーディング方式および空間ストリーム数を抽出することを備える、請求項３に記載の装置。
【請求項５】
前記選択することは、
前記装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記許容可能なセットから前記応答メッセージに関する前記変調コーディング方式および前記空間ストリーム数を選択することと
を備える、請求項１に記載の装置。
【請求項６】
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、請求項５に記載の装置。
【請求項７】
ワイヤレス通信のための方法であって、
応答メッセージに関する持続時間制約を特定する第１のメッセージを処理することと、
前記持続時間制約に少なくとも部分的に基づいて前記応答メッセージの送信に関する１つまたは複数のパラメータを選択することと
前記持続時間制約にわたって前記選択された１つまたは複数のパラメータを使用して前記応答メッセージを送信することと
を備え、
前記１つまたは複数のパラメータを選択することは、前記応答メッセージを送信するための持続時間が前記持続時間制約の持続時間以下になるように変調コーディング方式および空間ストリーム数を選択することを備える、方法。
【請求項８】
前記第１のメッセージは、前記応答メッセージの長さの表示を備え、前記１つまたは複数のパラメータを選択することは、前記応答メッセージの前記長さに少なくとも部分的に基づいて前記１つまたは複数のパラメータを選択することを備える、請求項７に記載の方法。
【請求項９】
前記１つまたは複数のパラメータを選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記許容可能なセットから前記応答メッセージに関する前記変調コーディング方式および前記空間ストリーム数を選択することと
を備える、請求項７に記載の方法。
【請求項１０】
前記第１のメッセージの前記変調コーディング方式および前記空間ストリーム数を決定することは、前記第１のメッセージにおけるフィールドから変調コーディング方式および空間ストリーム数を抽出することを備える、請求項９に記載の方法。
【請求項１１】
前記１つまたは複数のパラメータを選択することは、
装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記許容可能なセットから前記応答メッセージに関する前記変調コーディング方式および前記空間ストリーム数を選択することと
を備える、請求項７に記載の方法。
【請求項１２】
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、請求項１１に記載の方法。
【請求項１３】
ワイヤレス通信のための装置であって、
応答メッセージに関する持続時間制約を特定する第１のメッセージを復号するための手段と、
前記持続時間制約に少なくとも部分的に基づいて前記応答メッセージの送信に関する１つまたは複数のパラメータを選択するための手段と
前記持続時間制約にわたって前記選択された１つまたは複数のパラメータを使用して前記応答メッセージを送信するための手段と
を備え、
前記選択するための手段は、前記応答メッセージを送信するための持続時間が前記持続時間制約の持続時間以下になるように変調コーディング方式および空間ストリーム数を選択するための手段を備える、装置。
【請求項１４】
前記第１のメッセージは、前記応答メッセージの長さの表示を備え、前記選択するための手段は、前記応答メッセージの前記長さに少なくとも部分的に基づいて前記１つまたは複数のパラメータを選択するための手段を備える、請求項１３に記載の装置。
【請求項１５】
前記選択するための手段は、
前記第１のメッセージの変調コーディング方式および空間ストリーム数を決定するための手段と、
前記第１のメッセージの前記変調コーディング方式および前記空間ストリーム数に少なくとも部分的に基づいて、前記応答メッセージに関する変調コーディング方式および空間ストリーム数の許容可能なセットを決定するための手段と、
前記許容可能なセットから前記応答メッセージに関する前記変調コーディング方式および前記空間ストリーム数を選択するための手段と
を備える、請求項１３に記載の装置。
【請求項１６】
前記第１のメッセージの前記変調コーディング方式および前記空間ストリーム数を決定するための手段は、前記第１のメッセージにおけるフィールドから変調コーディング方式および空間ストリーム数を抽出するための手段を備える、請求項１５に記載の装置。
【請求項１７】
前記選択するための手段は、
前記装置によって前もって送信されたメッセージの変調コーディング方式および空間ストリーム数を決定するための手段と、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定するための手段と、
前記許容可能なセットから前記応答メッセージに関する前記変調コーディング方式および前記空間ストリーム数を選択するための手段と
を備える、請求項１３に記載の装置。
【請求項１８】
前記装置によって前もって送信された前記メッセージの前記変調コーディング方式および前記空間ストリーム数を決定するための手段は、前記装置によって前もって送信された前記メッセージにおけるフィールドから変調コーディング方式および空間ストリーム数を抽出するための手段を備える、請求項１７に記載の装置。
【請求項１９】
ワイヤレス通信のためのワイヤレスノードであって、
アンテナと、
応答メッセージに関する持続時間制約を特定する、前記アンテナを介して受信された第１のメッセージを復号することと、
前記持続時間制約に少なくとも部分的に基づいて前記応答メッセージの送信に関する１つまたは複数のパラメータを選択することと
を行うように構成された処理システムと、前記持続時間制約にわたって前記選択された１つまたは複数のパラメータを使用して、送信のための前記応答メッセージを提供するように構成されたインターフェースと
を備え、
前記選択することは、前記応答メッセージを送信するための持続時間が前記持続時間制約の持続時間以下になるように変調コーディング方式および空間ストリーム数を選択することを備える、ワイヤレスノード。
【手続補正２】
【補正対象書類名】明細書
【補正対象項目名】００８２
【補正方法】変更
【補正の内容】
【００８２】
[0087]上記は本開示の態様を対象とするが、本開示の他の態様およびさらなる態様は、それの基本的範囲から逸脱することなく考案され得、それの範囲は以下の特許請求の範囲によって決定される。
以下に本願発明の当初の特許請求の範囲に記載された発明を付記する。
［Ｃ１］
ワイヤレス通信のための装置であって、
応答メッセージに関する持続時間制約を特定する第１のメッセージを復号することと、
前記持続時間制約に少なくとも部分的に基づいて前記応答メッセージの送信に関する１つまたは複数のパラメータを選択することとを行うように構成された処理システムと、
前記持続時間制約にわたって選択された１つまたは複数のパラメータを使用して送信される前記応答メッセージを生成するように構成されたインターフェースとを備える装置。
［Ｃ２］
前記選択することは、前記応答メッセージを送信するための持続時間が前記持続時間制約の持続時間以下になるように変調コーディング方式および空間ストリーム数を選択することを備える、Ｃ１に記載の装置。
［Ｃ３］
前記第１のメッセージは、前記応答メッセージの長さの表示を備え、前記選択することは、前記応答メッセージの前記長さに少なくとも部分的に基づく、Ｃ１に記載の装置。
［Ｃ４］
前記選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、Ｃ１に記載の装置。
［Ｃ５］
前記第１のメッセージの前記変調コーディング方式および前記空間ストリーム数を決定することは、前記第１のメッセージにおけるフィールドから変調コーディング方式および空間ストリーム数を抽出することを備える、Ｃ４に記載の装置。
［Ｃ６］
前記応答メッセージに関する変調コーディング方式および空間ストリーム数の前記許容可能なセットは、前記第１のメッセージの前記変調コーディング方式および前記空間ストリーム数に基づいて定義される、Ｃ４に記載の装置。
［Ｃ７］
前記選択することは、
前記装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、Ｃ１に記載の装置。
［Ｃ８］
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、Ｃ７に記載の装置。
［Ｃ９］
前記応答メッセージに関する変調コーディング方式および空間ストリーム数の前記許容可能なセットは、前記装置によって前もって送信された前記メッセージの前記変調コーディング方式および前記空間ストリーム数に基づいて定義される、Ｃ７に記載の装置。
［Ｃ１０］
前記選択された１つまたは複数のパラメータは、変調コーディング方式と空間ストリーム数とを備える、Ｃ１０に記載の装置。
［Ｃ１１］
ワイヤレス通信のための方法であって、
応答メッセージに関する持続時間制約を特定する第１のメッセージを処理することと、
前記持続時間制約に少なくとも部分的に基づいて前記応答メッセージの送信に関する１つまたは複数のパラメータを選択することとを備える方法。
［Ｃ１２］
前記１つまたは複数のパラメータを選択することは、前記応答メッセージを送信するための持続時間が前記持続時間制約の持続時間以下になるように変調コーディング方式および空間ストリーム数を選択することを備える、Ｃ１１に記載の方法。
［Ｃ１３］
前記第１のメッセージは、前記応答メッセージの長さの表示を備え、前記選択することは、前記応答メッセージの前記長さに少なくとも部分的に基づいて前記１つまたは複数のパラメータを選択することを備える、Ｃ１１に記載の方法。
［Ｃ１４］
前記１つまたは複数のパラメータを選択することは、
前記第１のメッセージの変調コーディング方式および空間ストリーム数を決定することと、
前記第１のメッセージの前記決定された変調コーディング方式および前記決定された空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、Ｃ１１に記載の方法。
［Ｃ１５］
前記第１のメッセージの前記変調コーディング方式および前記空間ストリーム数を決定することは、前記第１のメッセージにおけるフィールドから変調コーディング方式および空間ストリーム数を抽出することを備える、Ｃ１４に記載の方法。
［Ｃ１６］
前記応答メッセージに関する変調コーディング方式および空間ストリーム数の前記許容可能なセットは、前記第１のメッセージの前記変調コーディング方式および前記空間ストリーム数に基づいて定義される、Ｃ１４に記載の方法。
［Ｃ１７］
前記１つまたは複数のパラメータを選択することは、
前記装置によって前もって送信されたメッセージの変調コーディング方式および空間ストリーム数を決定することと、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定することと、
前記応答メッセージを送信するための持続時間が前記持続時間制約の持続時間以下になるように前記許容可能なセットから前記応答メッセージに関する前記変調コーディング方式および前記空間ストリーム数を選択することとを備える、Ｃ１１に記載の方法。
［Ｃ１８］
前記装置によって前もって送信された前記メッセージの前記変調コーディング方式および前記空間ストリーム数を決定することは、前記装置によって前もって送信された前記メッセージにおけるフィールドから変調コーディング方式および空間ストリーム数を抽出することを備える、Ｃ１７に記載の方法。
［Ｃ１９］
前記応答メッセージに関する変調コーディング方式および空間ストリーム数の前記許容可能なセットは、前記装置によって前もって送信された前記メッセージの前記変調コーディング方式および前記空間ストリーム数に基づいて定義される、Ｃ１７に記載の方法。
［Ｃ２０］
前記持続時間制約にわたって前記選択された１つまたは複数のパラメータを使用して前記応答メッセージを送信することをさらに備える、Ｃ１１に記載の方法。
［Ｃ２１］
ワイヤレス通信のための装置であって、
応答メッセージに関する持続時間制約を特定する第１のメッセージを復号するための手段と、
前記持続時間制約に少なくとも部分的に基づいて前記応答メッセージの送信に関する１つまたは複数のパラメータを選択するための手段とを備える装置。
［Ｃ２２］
前記選択手段は、前記応答メッセージを送信するための持続時間が前記持続時間制約の持続時間以下になるように変調コーディング方式および空間ストリーム数を選択するための手段を備える、Ｃ２１に記載の装置。
［Ｃ２３］
前記第１のメッセージは、前記応答メッセージの長さの表示を備え、前記選択手段は、前記応答メッセージの前記長さに少なくとも部分的に基づいて前記１つまたは複数のパラメータを選択するための手段を備える、Ｃ２１に記載の装置。
［Ｃ２４］
前記選択手段は、
前記第１のメッセージの変調コーディング方式および空間ストリーム数を決定するための手段と、
前記第１のメッセージの前記変調コーディング方式および前記空間ストリーム数に少なくとも部分的に基づいて、前記応答メッセージに関する変調コーディング方式および空間ストリーム数の許容可能なセットを決定するための手段と、
前記応答メッセージを送信するための持続時間が前記持続時間制約の持続時間以下になるように前記許容可能なセットから前記応答メッセージに関する前記変調コーディング方式および前記空間ストリーム数を選択するための手段とを備える、Ｃ２１に記載の装置。
［Ｃ２５］
前記第１のメッセージの前記変調コーディング方式および前記空間ストリーム数を決定するための手段は、前記第１のメッセージにおけるフィールドから変調コーディング方式および空間ストリーム数を抽出するための手段を備える、Ｃ２４に記載の装置。
［Ｃ２６］
前記応答メッセージに関する変調コーディング方式および空間ストリーム数の前記許容可能なセットは、前記第１のメッセージの前記変調コーディング方式および前記空間ストリーム数に基づいて定義される、Ｃ２４に記載の装置。
［Ｃ２７］
前記選択手段は、
前記装置によって前もって送信されたメッセージの変調コーディング方式および空間ストリーム数を決定するための手段と、
前記装置によって前もって送信された前記メッセージの前記変調コーディング方式および前記空間ストリーム数に少なくとも部分的に基づいて、前記応答メッセージに関する変調コーディング方式および空間ストリーム数の許容可能なセットを決定するための手段と、
前記応答メッセージを送信するための持続時間が前記持続時間制約の持続時間以下になるように前記許容可能なセットから前記応答メッセージに関する前記変調コーディング方式および前記空間ストリーム数を選択するための手段とを備える、Ｃ２１に記載の装置。
［Ｃ２８］
前記装置によって前もって送信された前記メッセージの前記変調コーディング方式および前記空間ストリーム数を決定するための手段は、前記装置によって前もって送信された前記メッセージにおけるフィールドから変調コーディング方式および空間ストリーム数を抽出するための手段を備える、Ｃ２７に記載の装置。
［Ｃ２９］
前記応答メッセージに関する変調コーディング方式および空間ストリーム数の前記許容可能なセットは、前記装置によって前もって送信された前記メッセージの前記ＭＣＳおよび前記空間ストリーム数に基づいて定義される、Ｃ２７に記載の装置。
［Ｃ３０］
ワイヤレス通信のためのワイヤレスノードであって、
アンテナと、
処理システムとを備え、前記処理システムは、
応答メッセージに関する持続時間制約を特定する、前記アンテナを介して受信された第１のメッセージを復号することと、
前記持続時間制約に少なくとも部分的に基づいて前記応答メッセージの送信に関する１つまたは複数のパラメータを選択することとを行うように構成されるワイヤレスノード。
【国際調査報告】
2017502546.tif 000009
2017502546.tif 000010
2017502546.tif 000011